(57)【特許請求の範囲】
【請求項１】
コンクリート等の構築物の外側に鋼板等の補強板を固定し、両者の隙間に接着剤を注入するために先端側を挿入し、これを補強板の周囲に沿って隙間に施すシールによって固定させる注入、排気パイプにおいて、管体の先端部を偏平に加工して矩形の開口部を形成し、開口部の上下から管体の直径より大きい幅を有する挿入片を平行に突出させ、開口部の左右から挿入片の突出方向に対して直角に翼片を突出させた注入排気用パイプ。
【請求項２】
コンクリート等の構築物の外側に鋼板等の補強板を固定し、両者の隙間に接着剤を注入するために先端側を挿入し、これを補強板の周囲に沿って隙間に施すシールによって固定させる注入、排気パイプにおいて、管体の先端部にこれと連通する透孔を設けた面板を配置し、面板の上下から管体の直径より大きい幅を有する挿入片を平行に突出させ、面板の左右から挿入片の突出方向に対して直角に翼片を突出させた注入排気用パイプ。
【請求項３】
平行な挿入片の間に間隔を維持するための補強体を介在させた請求項１又は２に記載の注入排気用パイプ。
【発明の詳細な説明】
【技術分野】
【０００１】
本発明は、コンクリート等の構築物の外側に鋼板等の補強板を固定し、両者の隙間に接着剤を注入するために先端側を挿入し、これを補強板の周囲に沿って隙間に施すシールによって固定させる注入排気用パイプに関するものである。
【背景技術】
【０００２】
この種の補修方法として、特許文献１に記載のものが公知となっている。
この工法は、コンクリート床版に対して鋼板補強を行うものであり、多数のボルト孔を穿設した鋼板を床版との間に僅かの隙間を設けてボルトで固定した後、その周囲にシールを施し、このシール部にパイプを取り付け、パイプから床版と鋼板との隙間に接着剤を注入しながら他のパイプから隙間内の空気を排気させることによって接着剤を充填し、これを硬化させて鋼板を床版に接着させる構成を採用している。
このとき、接着剤を充填する隙間の厚さは、硬化時の収縮によって接着剤層に歪みが発生しないように数ミリ前後に設計されるのが通例である。
【０００３】
このパイプは、シールを形成する際に適宜の位置に分散させてシール剤で固定されているが、シール剤以外に格別の固定手段が用いられていないため、取り付けが極めて不安定となり、シール剤が硬化する前に作業者がこのパイプに触れた場合にはパイプが動いてシールとパイプとの間に空隙が生じてしまうことがあった。
また、これが一番重要な問題であるが、パイプの挿入長さが短かったりシール剤を多量に押し込んでパイプが固定された場合には、パイプの先端開口部がシール剤によって閉塞されることが往々にして生じていた。そうすると、接着剤の注入やエアーの円滑な排気に支障を来し、排気が不十分な場合には隙間内の内圧が高まってシールを破裂させてしまう場合があった。
【特許文献１】特公昭64-11763号公報
【発明の開示】
【発明が解決しようとする課題】
【０００４】
本発明は、コンクリート等の構築物の外側に鋼板等の補強板を固定し、両者の隙間に接着剤を注入するために先端側を挿入し、これを補強板の周囲に沿って隙間に施すシールによって固定させる注入排気用パイプにおいて、パイプをシール剤によって閉塞させることなく安定して取り付けられるようにすることを課題としたものである。
【課題を解決するための手段】
【０００５】
この技術的課題を解決するための第一の技術的手段は、（イ）管体の先端部を偏平に加工して矩形の開口部を形成し、（ロ）開口部の上下から管体の直径より大きい幅を有する挿入片を平行に突出させ、（ハ）開口部の左右から挿入片の突出方向に対して直角に翼片を突出させたこと、である。
第二の技術的手段は、（ニ）管体の先端部これと連通する透孔を設けた面板を配置し、（ホ）面板の上下から管体の直径より大きい幅を有する挿入片を平行に突出させ、（ヘ）面板の左右から挿入片の突出方向に対して直角に翼片を突出させたこと、である。
【０００６】
第一の技術的手段では、管体の先端部が偏平に加工されて矩形の開口部が形成され、その上下から管体の直径より大きい幅を有する挿入片を平行に突出させられているから、補修箇所において接着剤を注入するために形成される隙間に向かってこれを挿入させることができる。隙間をシールするために、挿入片を直接構築物及び／又は補強板に接触させた状態で、鋼板などの補強材の周囲に沿ってシール剤が施工されるとことになるから、パイプは、その挿入姿勢を安定させて固定されることになる。
開口部の左右からは挿入片の突出方向とは直角に翼片が突出させられているから、隙間に対するシールは翼片の外側から施されることになる。その際、翼片はシール剤がその裏側に回り込むのを規制するから、挿入片の左右の側縁で開口している部分が閉塞されることはない。
第二の技術的手段では、管体の先端部にこれと連通する透孔を設けた面板が配置されていて、その面板の上下から管体の直径より大きい幅を有する挿入片が平行に突出させられ、面板の左右からは挿入片の突出方向とは直角に翼片が突出させられているから、上記第一の技術的手段と同じ作用を奏することになる。
【０００７】
このパイプは接着剤の注入用として、或いは隙間内の空気の排気用として利用できるが、当初排気用として使用したパイプを後工程で注入用に使用するなどして、用途を兼用させるようにしてもよい。
パイプは、アクリロニトリル−ブタジェン−スチレン樹脂、ポリプロピレン樹脂、塩化ビニル樹脂、その他のプラスチックで形成することができる。
【０００８】
接着剤注入器やチューブなどを接続したり、パイプの閉塞手段を取り付けたりすることを勘案すると、管体は断面円形のものを使用することが望ましいが、この形状に限定されるものではなく、円形、楕円形、方形など適宜の形状を採用することができる。
管体と挿入片とは、同一軸線上に位置させてもよいし、傾斜角を持たせるようにしてもよい。
また、両者の間に蛇腹管などの可撓管を介して連結すると、管体の方向を変更することが可能となるから、接着剤の注入や排気路の確保などにおいて利便性を高めることができる。
【０００９】
平行な挿入片の間に間隔を維持するための補強体を介在させた場合には、挿入片の屈曲を予防して確実に排気路を確保することができる。
【発明の効果】
【００１０】
パイプをシール剤によって閉塞させずに安定して取り付けられる結果、接着剤注入時に隙間からの確実な排気を行わせて隙間内の内圧の異常な上昇を阻止できる利点がある。
【実施例１】
【００１１】
図１はパイプ１０の正面図、図２はその平面図、図３はA-A'断面図である。
管体１はアクリロニトリル−ブタジェン−スチレン樹脂で形成してあって、外形約10mm、肉厚約１mmの断面円形の形状となっている。この実施例では、管体１の先端部２を偏平に加工して、横幅約30mm、縦約6 mmの矩形の開口部３を形成している。
【００１２】
図示しない構築物と補強用鋼板との間に臨ませる挿入片５、５は、開口部３の上下の長辺部から横幅約30mm、長さ約20mmの大きさのものを突出させている。
挿入片５は、先端側に行く程薄肉に形成してあって、図示しない鋼板と構築物とで形成される狭い隙間へ挿入し易いようにしている（図１参照）。
【００１３】
開口部３の左右の短辺からは、左右方向に幅約６mm、長さ約10mmの大きさの翼片６、６を突出させている。
管体１は、図３に示したように、開口部３の下部で管体１１に約４mmの高さの段部１９が形成してあって、この部分を図示しない補強用の鋼板に当接させてパイプ１０を取り付けられるようにしている。
この段部９を設けずにパイプ１０を形成することもできる。
【実施例２】
【００１４】
図４〜５は他の実施例のパイプ２０を示したものであり、図４は正面図、図５は平面図、図６はB-B'断面図である。
この実施例では、横幅約30mm、縦約６mmの長方形の面板１７を介して管体１１と挿入片１５、１５とを連結している。  面板１７には透孔１８を設けて管体１１と連通させている。
この管体１１は偏平加工を施していないが、その大きさ及び挿入片１５の大きさは上記実施例と同じ寸法に設計している。
【００１５】
管体１１にも、図６に示したように、面板１７の手前で段部１９を形成している。
この実施例では、面板１７の左右の短辺から翼片１６、１６を突出させてあり、その大きさは幅約６mm、長さ約10mmにしている。
【図面の簡単な説明】
【００１６】
【図１】パイプの正面図
【図２】パイプの平面図
【図３】パイプのA-A'断面図
【図４】他の実施例のパイプの正面図
【図５】他の実施例のパイプの平面図
【図６】他の実施例のパイプのB-B'断面図
【符号の説明】
【００１７】
１、11管体、  ２管体の先端部、  ３管体の開口部、  ５、15挿入片、 
６、16翼片、
10、20パイプ、  17面板、 
18面板の透孔、  9、19管体の段部
【図１】
0005107524.tif 000002
【図２】
0005107524.tif 000003
【図３】
0005107524.tif 000004
【図４】
0005107524.tif 000005
【図５】
0005107524.tif 000006
【図６】
0005107524.tif 000007